(57)【要約】【課題】売上金の管理装置が導入されていない店舗の売上金を効率良く管理すること。【解決手段】貨幣処理装置１００と同一の店舗Ａに設置された釣銭機３０ａから紙幣カセット６０ａを取り外し（ステップＳ１）、貨幣処理装置１００に装着すると（ステップＳ２）、貨幣処理装置１００は、店舗を特定し（ステップＳ３）、紙幣を収納し（ステップＳ４）、手数料を算定して（ステップＳ５）、売上金と手数料を更新する（ステップＳ６）。この場合、貨幣処理装置１００と同一の店舗Ａが特定されるため手数料は「０」となり、店舗Ａの売上金が更新される。一方、他の店舗Ｂの釣銭機３０ｂから紙幣カセット６０ｂを取り外していれば（ステップＳ１’）、店舗Ｂが支払うべき手数料が算定され、店舗Ｂの売上金と手数料とが更新される。【選択図】図１
2019174986.tif 000002
【特許請求の範囲】
【請求項１】
所定の店舗に設置され、少なくとも該所定の店舗の売上金となる貨幣の入金を行う貨幣処理装置であって、
前記所定の店舗と異なる他の店舗の売上金となる貨幣を受け付ける貨幣受付部と、
前記貨幣受付部により受け付けた貨幣に対応する店舗を判定する判定部と、
前記貨幣受付部により受け付けた貨幣を収納する貨幣収納部と、
店舗ごとに売上金に係る情報を記憶する記憶部と
を備えた貨幣処理装置。
【請求項２】
前記貨幣受付部は、前記所定の店舗と異なる他の店舗の売上金となる貨幣と、前記所定の店舗に設置された所定の店内機器に収納された貨幣とを受け付ける請求項１に記載の貨幣処理装置。
【請求項３】
前記記憶部は、少なくとも前記他の店舗の売上金の金額情報と該他の店舗が前記所定の店舗に支払う利用手数料に係る情報とを記憶する請求項２に記載の貨幣処理装置。
【請求項４】
前記貨幣収納部に対して前記他の店舗の貨幣を収納する場合に、収納される貨幣額と所定の手数料率とから前記利用手数料を算定し、算定された利用手数料を前記記憶部に記憶された利用手数料に係る情報に累積加算する請求項３に記載の貨幣処理装置。
【請求項５】
前記貨幣収納部に対して前記他の店舗の貨幣を収納する場合に、所定の基本手数料額を前記記憶部に記憶された利用手数料に係る情報に累積加算する請求項３に記載の貨幣処理装置。
【請求項６】
前記所定の店内機器は、販売時点管理機能を有する金銭登録機と通信可能に接続された釣銭機である請求項２乃至５のいずれか一つに記載の貨幣処理装置。
【請求項７】
前記貨幣受付部は、前記釣銭機から取り外され、かつ、前記釣銭機内の貨幣が収納された収納カセットが所定の装着部に装着された場合に、該収納カセットから貨幣を繰り出して受け付ける請求項６に記載の貨幣処理装置。
【請求項８】
前記収納カセットは、少なくとも前記利用手数料に係る情報を記憶する不揮発性のカセット用記憶部を有する請求項７に記載の貨幣処理装置。
【請求項９】
前記カセット用記憶部は、各店舗を一意に識別する店舗識別情報を記憶し、前記判定部は、前記カセット用記憶部に記憶された店舗識別情報に基づいて、前記貨幣受付部により受け付けた貨幣に対応する店舗を判定する請求項８に記載の貨幣処理装置。
【請求項１０】
所定の店舗に設置され、少なくとも該所定の店舗の売上金となる貨幣の入金を行う貨幣処理装置と、前記所定の店舗に設置された第１の店内機器と、前記所定の店舗と異なる他の店舗に設置された第２の店内機器とを含む貨幣処理システムであって、
前記貨幣処理装置は、
前記第１の店内機器に収納された貨幣及び前記第２の店内機器に収納された貨幣を受け付ける貨幣受付部と、
前記貨幣受付部により受け付けた貨幣に対応する店舗を判定する判定部と、
前記貨幣受付部により受け付けた貨幣を収納する貨幣収納部と、
店舗ごとに売上金に係る情報を記憶する記憶部と
を備えた貨幣処理システム。
【請求項１１】
所定の店舗に設置され、少なくとも該所定の店舗の売上金となる貨幣の入金を行う貨幣処理装置における貨幣処理方法であって、
前記所定の店舗と異なる他の店舗の売上金となる貨幣を受け付ける貨幣受付ステップと、
前記貨幣受付ステップにより受け付けた貨幣に対応する店舗を判定する判定ステップと、
前記貨幣受付ステップにより受け付けた貨幣を貨幣収納部に収納する貨幣収納ステップと、
店舗ごとに売上金に係る情報を記憶部に記憶する記憶ステップと
を含む貨幣処理方法。
【発明の詳細な説明】
【技術分野】
【０００１】
本発明は、売上金の管理装置が導入されていない店舗の売上金を効率良く管理することができる貨幣処理装置、貨幣処理システム及び貨幣処理方法に関する。
【背景技術】
【０００２】
従来、スーパーマーケット等の店舗に設置され、店舗の売上金である貨幣を収納する売上金入金機が知られている。例えば、特許文献１には、硬貨入金部、硬貨識別部、一時保留部、記憶部及び収納部を備え、記憶部に記憶した一時保留部の硬貨の金種とその枚数を用いて、収納部へ収納する硬貨の全体重量を算出するよう構成した売上金入金機が開示されている。
【０００３】
例えば、店舗に設けられた釣銭機から取り出された貨幣カセットを売上金入金機に装着し、この貨幣カセット内の貨幣を繰り出して売上金入金機の収納部に収納することにより、店舗内に設けられた釣銭機内の売上金を売上金入金機に集約することができる。
【先行技術文献】
【特許文献】
【０００４】
【特許文献１】特開２０１５−１０８９０９号公報
【発明の概要】
【発明が解決しようとする課題】
【０００５】
しかしながら、小規模な店舗においては、販売時点管理機能を有する金銭登録機（以下、「ＰＯＳレジ」と言う）及び釣銭機については配設されているものの、売上金入金機は導入されていないというケースが存在する。かかる売上金入金機が導入されていない店舗では、人手により売上金を管理する対応等が必要となるため、売上金を正確に管理できない可能性が生ずるという問題がある。
【０００６】
本発明は、上記従来技術の課題を解決するためになされたものであって、売上金の管理装置が導入されていない店舗の売上金を効率良く管理することができる貨幣処理装置、貨幣処理システム及び貨幣処理方法を提供することを目的とする。
【課題を解決するための手段】
【０００７】
上記の課題を解決するため、本発明は、所定の店舗に設置され、少なくとも該所定の店舗の売上金となる貨幣の入金を行う貨幣処理装置であって、前記所定の店舗と異なる他の店舗の売上金となる貨幣を受け付ける貨幣受付部と、前記貨幣受付部により受け付けた貨幣に対応する店舗を判定する判定部と、前記貨幣受付部により受け付けた貨幣を収納する貨幣収納部と、店舗ごとに売上金に係る情報を記憶する記憶部とを備える。
【０００８】
また、本発明は、上記の発明において、前記貨幣受付部は、前記所定の店舗と異なる他の店舗の売上金となる貨幣と、前記所定の店舗に設置された所定の店内機器に収納された貨幣とを受け付ける。
【０００９】
また、本発明は、上記の発明において、前記記憶部は、少なくとも前記他の店舗の売上金の金額情報と該他の店舗が前記所定の店舗に支払う利用手数料に係る情報とを記憶する。
【００１０】
また、本発明は、上記の発明において、前記貨幣収納部に対して前記他の店舗の貨幣を収納する場合に、収納される貨幣額と所定の手数料率とから前記利用手数料を算定し、算定された利用手数料を前記記憶部に記憶された利用手数料に係る情報に累積加算する。
【００１１】
また、本発明は、上記の発明において、前記貨幣収納部に対して前記他の店舗の貨幣を収納する場合に、所定の基本手数料額を前記記憶部に記憶された利用手数料に係る情報に累積加算する。
【００１２】
また、本発明は、上記の発明において、前記所定の店内機器は、販売時点管理機能を有する金銭登録機と通信可能に接続された釣銭機である。
【００１３】
また、本発明は、上記の発明において、前記貨幣受付部は、前記釣銭機から取り外され、かつ、前記釣銭機内の貨幣が収納された収納カセットが所定の装着部に装着された場合に、該収納カセットから貨幣を繰り出して受け付ける。
【００１４】
また、本発明は、上記の発明において、前記収納カセットは、少なくとも前記利用手数料に係る情報を記憶する不揮発性のカセット用記憶部を有する。
【００１５】
また、本発明は、上記の発明において、前記カセット用記憶部は、各店舗を一意に識別する店舗識別情報を記憶し、前記判定部は、前記カセット用記憶部に記憶された店舗識別情報に基づいて、前記貨幣受付部により受け付けた貨幣に対応する店舗を判定する。
【００１６】
また、本発明は、所定の店舗に設置され、少なくとも該所定の店舗の売上金となる貨幣の入金を行う貨幣処理装置と、前記所定の店舗に設置された第１の店内機器と、前記所定の店舗と異なる他の店舗に設置された第２の店内機器とを含む貨幣処理システムであって、前記貨幣処理装置は、前記第１の店内機器に収納された貨幣及び前記第２の店内機器に収納された貨幣を受け付ける貨幣受付部と、前記貨幣受付部により受け付けた貨幣に対応する店舗を判定する判定部と、前記貨幣受付部により受け付けた貨幣を収納する貨幣収納部と、店舗ごとに売上金に係る情報を記憶する記憶部とを備える。
【００１７】
また、本発明は、所定の店舗に設置され、少なくとも該所定の店舗の売上金となる貨幣の入金を行う貨幣処理装置における貨幣処理方法であって、前記所定の店舗と異なる他の店舗の売上金となる貨幣を受け付ける貨幣受付ステップと、前記貨幣受付ステップにより受け付けた貨幣に対応する店舗を判定する判定ステップと、前記貨幣受付ステップにより受け付けた貨幣を貨幣収納部に収納する貨幣収納ステップと、店舗ごとに売上金に係る情報を記憶部に記憶する記憶ステップとを含む。
【発明の効果】
【００１８】
本発明によれば、売上金の管理装置が導入されていない店舗の売上金を効率良く管理することができる。
【図面の簡単な説明】
【００１９】
【図１】図１は、本実施例に係る貨幣処理システムの概念を説明するための説明図である。
【図２】図２は、ＰＯＳレジ及び釣銭機の外観構成を示す外観構成図である。
【図３】図３は、ＰＯＳレジ及び釣銭機の機能ブロック図である。
【図４】図４は、紙幣処理ユニットの構成を示す構成図である。
【図５】図５は、紙幣カセットの外観を示す斜視図である。
【図６】図６は、ＩＣタグが記憶するデータの具体例についての説明図である。
【図７】図７は、硬貨処理ユニットの構成を示す構成図である。
【図８】図８は、貨幣処理装置の外観を示す斜視図である。
【図９】図９は、図８に示した紙幣処理ユニットの内部構成を示す図である。
【図１０】図１０は、図８に示した硬貨処理ユニットの内部構成を示す図である。
【図１１】図１１は、図８に示した貨幣処理装置の機能ブロック図である。
【図１２】図１２は、貨幣処理装置が記憶するデータの具体例についての説明図である。
【図１３】図１３は、貨幣処理装置の処理手順を示すフローチャートである。
【発明を実施するための形態】
【実施例】
【００２０】
以下、添付図面を参照して、本実施例に係る貨幣処理装置、貨幣処理システム及び貨幣処理方法の実施例を説明する。本実施例では、売上金入金機等の貨幣処理装置が設置されていない店舗Ｂの売上金を、該店舗Ｂと異なる他の店舗Ａに設置された貨幣処理装置に入金する場合を中心に説明する。
【００２１】
＜本実施例に係る貨幣処理システムの概念＞
まず、本実施例に係る貨幣処理システムの概念について説明する。図１は、本実施例に係る貨幣処理システムの概念を説明するための説明図である。
【００２２】
図１に示す店舗Ａには、ＰＯＳレジ２０ａ、釣銭機３０ａ及び貨幣処理装置１００が設置されている。このため、釣銭機３０ａに収納された売上金となる貨幣は、レジ係員等によって貨幣処理装置１００に運搬され、貨幣処理装置１００に収納される。具体的には、釣銭機３０ａに収納された売上金となる紙幣は、紙幣カセットを介して貨幣処理装置１００に収納され、釣銭機３０ａに収納された売上金となる硬貨は、袋詰めにされた状態で貨幣処理装置１００に運搬され、貨幣処理装置１００に収納される。なお、貨幣処理装置１００に収納された貨幣は、警送会社により所定のタイミングで回収され、現金センタに運搬されることになる。
【００２３】
一方、図１に示す店舗Ｂには、ＰＯＳレジ２０ｂ及び釣銭機３０ｂが設置されているものの、売上金となる貨幣を収納する貨幣処理装置は設置されていない。店舗Ｂが比較的小さなスーパーマーケットである場合に、このように貨幣処理装置が導入されない状況が生ずる。かかる場合に、釣銭機３０ｂに収納された貨幣は、担当者等によって手作業で回収され、店舗Ｂ内の金庫等に保管せざるを得ない。このため、売上金となる貨幣を効率良く管理することができず、状況によっては売上金となる貨幣に関する不正等を招く余地が生ずる。なお、金庫内に収納された貨幣は、警送会社により所定のタイミングで回収され、現金センタに運搬されることになる。
【００２４】
このように、従来の貨幣処理システムでは、店舗Ａのように貨幣処理装置１００が設置されている場合は不正を招く余地が少ないが、店舗Ｂのように貨幣処理装置１００が設置されない場合には、売上金を人手で管理せざるを得ないため、売上金となる貨幣を効率良く管理できないという問題が生ずる。
【００２５】
そこで、本実施例に係る貨幣処理システムでは、店舗Ｂに設置された釣銭機３０ｂ内の売上金となる貨幣を、該店舗Ｂと経営主体が異なる近隣の店舗Ａの貨幣処理装置に収納できるよう構成することにより、店舗Ｂの売上金となる貨幣を効率良く管理できるようにしている。ただし、店舗Ｂは、自店の売上金となる貨幣を店舗Ａの貨幣処理装置１００で管理して貰う代償として、店舗Ａに対して利用手数料を支払うことになる。
【００２６】
次に、図１を用いて本実施例の概要について具体的に説明する。以下では、説明の便宜上、売上金となる紙幣を貨幣処理装置１００に収納する場合を中心に説明し、売上金となる硬貨を貨幣処理装置１００に収納する場合の説明を省略する。なお、図１に示したＰＯＳレジ２０ａ及びＰＯＳレジ２０ｂは同一の機能を有するものとし、両者を単にＰＯＳレジ２０と総称することがある。また、釣銭機３０ａ及び釣銭機３０ｂは同一の機能を有するものとし、両者を単に釣銭機３０と総称することがある。また、紙幣カセット６０ａ及び紙幣カセット６０ｂは同一の機能を有するものとし、両者を単に紙幣カセット６０と総称することがある。
【００２７】
図１に示したＰＯＳレジ２０は、販売時点管理機能を有する金銭登録機である。釣銭機３０は、ＰＯＳレジ２０と通信可能に接続され、店員が顧客から受け取った貨幣の貨幣額と商品額との差分を釣銭として出金するとともに、顧客から受け取った貨幣を装置内部に収納する。顧客から受け取った貨幣のうちの紙幣については、売上金の回収時に紙幣カセット６０に搬送され、紙幣カセット６０に収納された状態で運搬されることになる。なお、ＰＯＳレジ２０及び釣銭機３０の詳細な説明については後述する。
【００２８】
貨幣処理装置１００は、釣銭機３０に収納された貨幣を売上金として収納する売上金入金機であり、具体的には、店舗Ａに設置された釣銭機３０ａに収納された貨幣を売上金として収納するだけではなく、店舗Ｂに設置された釣銭機３０ｂに収納された貨幣を売上金として収納する。
【００２９】
そして、図１に示すように、店舗Ａの釣銭機３０ａから紙幣カセット６０ａを取り外し（ステップＳ１）、貨幣処理装置１００に装着すると（ステップＳ２）、貨幣処理装置１００は、紙幣カセット６０ａに付されたＩＣタグから店舗ＩＤを読み出し、どの店舗の売上金が収納されているかを特定する（ステップＳ３）。そして、紙幣カセット６０ａから紙幣を繰り出して貨幣処理装置１００の内部に収納し（ステップＳ４）、手数料を算定して（ステップＳ５）、売上金と手数料を更新する（ステップＳ６）。紙幣カセット６０ａを装着した場合には、貨幣処理装置１００が設置された店舗Ａの売上金が収納されていると特定されるため、手数料は「０」であり、店舗Ａの売上金が更新されることになる。
【００３０】
一方、店舗Ｂの釣銭機３０ｂから紙幣カセット６０ｂを取り外し（ステップＳ１’）、貨幣処理装置１００に装着すると（ステップＳ２）、貨幣処理装置１００は、紙幣カセット６０ｂに付されたＩＣタグから店舗ＩＤを読み出し、どの店舗の売上金が収納されているかを特定する（ステップＳ３）。そして、紙幣カセット６０ｂから紙幣を繰り出して貨幣処理装置１００の内部に収納し（ステップＳ４）、手数料を算定して（ステップＳ５）、売上金と手数料を更新する（ステップＳ６）。紙幣カセット６０ｂを装着した場合には、他の店舗Ｂの売上金が収納されていると特定されるため、店舗Ｂが支払うべき手数料が算定され、店舗Ｂの売上金と手数料とが更新されることになる。この手数料に関する詳細については後述する。
【００３１】
このように、本実施例に係る貨幣処理システムでは、店舗Ａに設置されて店舗Ａの売上金となる貨幣の入金を行う貨幣処理装置１００が、店舗Ａと異なる他の店舗Ｂの売上金となる貨幣を受け付け、受け付けた貨幣に対応する店舗Ｂを判定しつつ貨幣を収納し、店舗ごとに売上金に係る情報を記憶するよう構成したので、売上金の管理装置が導入されていない店舗の売上金を効率良く管理することができる。
【００３２】
また、店舗Ａの貨幣処理装置１００を用いた売上金の管理について手数料を設定し、貨幣処理装置１００の利用状況に応じて手数料の算定を行うことが可能である。
【００３３】
＜ＰＯＳレジ２０及び釣銭機３０の構成＞
次に、ＰＯＳレジ２０及び釣銭機３０の構成について説明する。図２は、ＰＯＳレジ２０及び釣銭機３０の外観構成を示す外観構成図である。図２に示すように、ＰＯＳレジ２０は、操作者用の表示部２１ａ、顧客用の表示部２１ｂ、操作キー等の操作部２１ｃ及びバーコードリーダ２２を有する。
【００３４】
釣銭機３０は、紙幣処理ユニット４０と、紙幣処理ユニット４０の隣に並ぶよう配置された硬貨処理ユニット５０とを備えており、紙幣処理ユニット４０及び硬貨処理ユニット５０の上方にＰＯＳレジ２０を載置することができる。
【００３５】
紙幣処理ユニット４０は、紙幣の入出金処理を行うユニットであり、紙幣挿入口４１ａ及び紙幣払出口４２ａを有する。また、紙幣処理ユニット４０は、後述する出金リジェクト部４３及びカセット装着部４４を有する。
【００３６】
硬貨処理ユニット５０は、硬貨の入出金処理を行うユニットであり、硬貨投入口５１及び硬貨払出口５５を有する。さらに、硬貨処理ユニット５０は、釣銭機３０の表示操作部５６が設けられている。
【００３７】
図３は、ＰＯＳレジ２０及び釣銭機３０の機能構成を示す機能ブロック図である。図３に示すように、ＰＯＳレジ２０は、表示操作部２１、バーコードリーダ２２、カードリーダ２３、印字部２４、通信部２５及びＰＯＳ制御部２６を有する。
【００３８】
表示操作部２１は、表示部２１ａ、表示部２１ｂ及び操作部２１ｃによって操作者や顧客に対する情報出力と、操作者からの入力受付とを行う。バーコードリーダ２２は、商品に付されたバーコードを読み取ることで商品の名称や価格等の情報を取得することができる。カードリーダ２３は、クレジットカード、デビットカード、プリペイドカード等のペイメントカードによる精算時に用いられる。
【００３９】
印字部２４は、取引内容を印字したレシートの発行に用いられる。レシートに印字される取引内容は、例えば日時、登録された商品の名称、価格、投入された貨幣の金額、釣銭の金額などである。通信部２５は、釣銭機３０や外部のサーバとの通信を行う通信インタフェースである。
【００４０】
ＰＯＳ制御部２６は、ＰＯＳレジ２０を全体制御する制御部であり、購入商品登録部２６ａ、購入金額算定部２６ｂ及び決済処理部２６ｃを有する。購入商品登録部２６ａは、購入対象となる商品の登録を行う処理部である。具体的には、バーコードリーダ２２が商品に付されたバーコードを読み取って商品の名称や価格等の情報を取得した場合に、購入商品登録部２６ａは、取得された情報を用いて商品の登録を行い、登録した商品を表示部２１ａなどに表示する。
【００４１】
購入金額算定部２６ｂは、購入商品登録部２６ａにより登録された全ての商品の価格を合計することで購入金額を算定し、表示部２１ａなどに表示する処理を行う。
【００４２】
決済処理部２６ｃは、購入金額算定部２６ｂにより算定された購入金額の決済を行って取引を完了し、レシートの発行を行う処理部である。購入金額の決済は、ペイメントカードにより行ってもよいし、現金により行ってもよい。
【００４３】
具体的には、決済処理部２６ｃは、ペイメントカードによる決済が選択された場合には、カードリーダ２３に挿入されたペイメントカードからカードＩＤ等の情報を取得し、購入金額とともに外部のサーバに送信することで決済を行う。
【００４４】
また、決済処理部２６ｃは、現金による決済が選択された場合には、釣銭機３０に購入金額を送信し、釣銭機３０から精算完了通知を受信した場合に決済を完了する。
【００４５】
釣銭機３０は、紙幣処理ユニット４０及び硬貨処理ユニット５０で構成されている。紙幣処理ユニット４０は、紙幣を金種別に収納するユニットであり、硬貨処理ユニット５０は硬貨を金種別に収納するユニットである。
【００４６】
紙幣処理ユニット４０は、通信部４９ａ、紙幣受入部４１、周回搬送部４５、紙幣識別部４６、紙幣収納部４７、出金リジェクト部４３、紙幣払出部４２、カセット装着部４４、紙幣記憶部４８及び紙幣釣銭制御部４９を備えている。通信部４９ａは、通信線を通して硬貨処理ユニット５０とのデータ通信を行うためのインタフェース部である。紙幣処理ユニット４０はＰＯＳレジ２０と直接通信線で接続されていないが、硬貨処理ユニット５０を経由することによってＰＯＳレジ２０と通信することができるよう構成されている。
【００４７】
紙幣記憶部４８は、フラッシュメモリ等の不揮発性メモリ又はハードディスク装置等の二次記憶媒体等からなる記憶デバイスであり、紙幣在高データ４８ａなどを記憶する。紙幣在高データ４８ａは、紙幣処理ユニット４０に収納されている紙幣の金種別の在高を示すデータである。
【００４８】
紙幣釣銭制御部４９は、紙幣処理ユニット４０を制御する制御部であり、入金処理部４９ｂ、出金処理部４９ｃなどを有する。
【００４９】
入金処理部４９ｂは、紙幣の入金処理を行う処理部である。入金処理部４９ｂは、精算装置から購入金額を受信した場合に、紙幣処理ユニット４０に対する紙幣の挿入を許可する。
【００５０】
その後、入金処理部４９ｂは、紙幣処理ユニット４０から挿入された紙幣の金種別の枚数を取得し、挿入された紙幣の合計金額を算定し、硬貨処理ユニット５０の通信部５９ａを介してＰＯＳレジ２０に通知を送信する。
【００５１】
出金処理部４９ｃは、紙幣の出金処理を行う処理部である。具体的には、出金処理部４９ｃは、硬貨処理ユニット５０の通信部５９ａを介してＰＯＳレジ２０から釣銭の出金指示を受けた場合に、釣銭の金額に応じて払い出すべき金種と枚数を決定し、紙幣の出金処理を行う。そして、釣銭の出金が正常に終了した場合には、硬貨処理ユニット５０の通信部５９ａを介してＰＯＳレジ２０に通知する。
【００５２】
硬貨処理ユニット５０は、通信部５９ａ、硬貨投入口５１、入金硬貨搬送部５２、硬貨識別部５２ａ、硬貨収納部５３、出金硬貨搬送部５４、硬貨払出口５５、表示操作部５６、硬貨記憶部５８及び硬貨釣銭制御部５９を備えている。通信部５９ａは、通信線を通してＰＯＳレジ２０及び紙幣処理ユニット４０とのデータ通信を行うためのインタフェース部である。
【００５３】
硬貨記憶部５８は、フラッシュメモリ等の不揮発性メモリ又はハードディスク装置等の二次記憶媒体等からなる記憶デバイスであり、硬貨在高データ５８ａなどを記憶する。硬貨在高データ５８ａは、硬貨処理ユニット５０に収納されている硬貨の金種別の在高を示すデータである。
【００５４】
硬貨釣銭制御部５９は、硬貨処理ユニット５０を制御する制御部であり、入金処理部５９ｂ、出金処理部５９ｃなどを有する。
【００５５】
入金処理部５９ｂは、硬貨の入金処理を行う処理部である。入金処理部５９ｂは、ＰＯＳレジ２０から購入金額を受信した場合に、硬貨処理ユニット５０に対する硬貨の投入を許可する。
【００５６】
その後、入金処理部５９ｂは、硬貨処理ユニット５０に投入された硬貨の金種別の枚数を取得し、投入された硬貨の合計金額を算定し、ＰＯＳレジ２０に通知を送信する。
【００５７】
出金処理部５９ｃは、硬貨の出金処理を行う処理部である。具体的には、出金処理部５９ｃは、ＰＯＳレジ２０から釣銭の出金指示を受けた場合に、釣銭の金額に応じて払い出すべき金種と枚数を決定し、硬貨の出金処理を行う。そして、釣銭の出金が正常に終了した場合には、ＰＯＳレジ２０に通知する。
【００５８】
次に、紙幣処理ユニット４０及び硬貨処理ユニット５０の詳細について説明する。図４は、紙幣処理ユニット４０の構成を示す構成図である。図４に示すように、紙幣処理ユニット４０は、紙幣受入部４１と、紙幣払出部４２と、出金リジェクト部４３と、カセット装着部４４と、周回搬送部４５と、紙幣識別部４６と、金種別の紙幣収納部４７とを有する。
【００５９】
紙幣受入部４１は、紙幣挿入口４１ａに対する紙幣の投入を受け付け、１枚ずつ周回搬送部４５に繰り出す処理部である。紙幣払出部４２は、周回搬送部４５から１枚ずつ搬送された紙幣を一時的に貯留し、払い出すべき全ての紙幣が揃った場合に紙幣払出口４２ａから投出することで紙幣を払い出す処理部である。
【００６０】
出金リジェクト部４３は、金種が識別できない等、出金に適さない紙幣を内部に集積する。例えば、出金処理時において紙幣収納部４７から繰り出された紙幣のうち、重送や斜行等の搬送異常により紙幣識別部４６で識別することができなかった紙幣は出金リジェクト部４３に搬送される。なお、紙幣受入部４１から取り込まれた紙幣のうち、入金処理時において汚損等により紙幣識別部４６で識別することができなかった紙幣は、入金リジェクト紙幣として紙幣払出部４２に返却される。
【００６１】
カセット装着部４４は、売上金の回収や釣銭の補充に用いる紙幣カセット６０を着脱可能である。
【００６２】
複数の紙幣収納部４７は、それぞれ対応する金種が設定されており、設定された金種の紙幣を収納するとともに、収納されている紙幣を１枚ずつ繰出可能である。
【００６３】
周回搬送部４５は、中央に周回搬送路を有しており、紙幣受入部４１、紙幣払出部４２、出金リジェクト部４３、カセット装着部４４及び複数の紙幣収納部４７と周回搬送路との間には接続搬送路が設けられている。また、周回搬送路には、紙幣の金種、真偽、正損、表裏、搬送状態等の識別を行う紙幣識別部４６が設けられている。
【００６４】
周回搬送部４５は、図４における時計回りの方向及び反時計回りの方向に周回搬送路を回転駆動することで、紙幣を１枚ずつ搬送することができる。具体的には、紙幣を紙幣収納部４７に収納する場合には、周回搬送路を図４における時計回りに回転駆動し、紙幣を紙幣収納部４７から繰り出す場合には、周回搬送路を図４における反時計回りに回転駆動することになる。この回転駆動の制御に加え、周回搬送路と各接続搬送部との間で紙幣の搬送経路を切り換えることで、周回搬送部４５は、紙幣の搬送先を制御する。
【００６５】
図５は、紙幣カセットの外観を示す斜視図である。図５に示すように、紙幣カセット６０は、略直方体形状のケーシング６１を有しており、当該ケーシング６１の内部に紙幣が積層状態で収納される。また、上述したように、紙幣カセット６０は貨幣処理装置１００や釣銭機３０に設けられた装着部に着脱可能である。
【００６６】
紙幣カセット６０のケーシング６１の側面には開口６２が形成されている。紙幣カセット６０が貨幣処理装置１００や釣銭機３０に装着されているときに、これらの装置は、開口６２を介して紙幣カセット６０の内部に紙幣を送ることができる。同様に、紙幣カセット６０に収納されている紙幣は、開口６２から繰り出して貨幣処理装置１００や釣銭機３０の内部に収納することが可能である。
【００６７】
より詳細には、紙幣カセット６０の内部には、当該紙幣カセット６０に収納されている紙幣を開口６２からケーシング６１の外部に繰り出す紙幣繰出機構が設けられている。また、紙幣カセット６０が貨幣処理装置１００や釣銭機３０に装着されているときに、これらの装置から紙幣カセット６０の紙幣繰出機構に動力が伝達される。
【００６８】
このように、紙幣カセット６０が貨幣処理装置１００や釣銭機３０から取り出された状態では当該紙幣カセット６０に収納されている紙幣をケーシング６１の外部に繰り出させることができないため、紙幣カセット６０に収納されている紙幣のセキュリティ性を向上させることができる。
【００６９】
また、紙幣カセット６０のケーシング６１の側面には、不揮発性のカセット用記憶部としてのＩＣタグ６３が設けられている。そして、紙幣カセット６０が貨幣処理装置１００や釣銭機３０に装着されているときに、これらの装置に設けられたリーダライタによりＩＣタグ６３に様々なデータを書き込んだり、ＩＣタグ６３から様々なデータを読み取ったりすることができるようになっている。
【００７０】
図６は、ＩＣタグ６３が記憶するデータの具体例についての説明図である。図６に示すように、ＩＣタグ６３は、紙幣カセット６０の識別情報であるカセットＩＤ、当該紙幣カセット６０を使用している店舗及びレジをそれぞれ特定する店舗ＩＤ及びレジＩＤ、手数料設定、収納金額などを記憶する。
【００７１】
図６では、カセットＩＤ「Ｃ００９」、店舗ＩＤ「Ｕ００２」、レジＩＤ「Ｒ００１」、手数料設定「収納金額×０．０２」、収納金額「４２７０００円」である状態を示している。なお、この他に、金種別の収納枚数等を記憶してもよい。また、図６では、収納される貨幣の金額と手数料率とから手数料を算定する設定を例示したが、貨幣処理装置１００に貨幣を収納する度に所定の基本手数料を課す設定（例えば、１回２００円など）でもよい。
【００７２】
図７は、硬貨処理ユニット５０の構成を示す構成図である。図７に示すように、硬貨処理ユニット５０は、硬貨投入口５１、入金硬貨搬送部５２、金種別の硬貨収納部５３、出金硬貨搬送部５４及び硬貨払出口５５を有する。また、入金硬貨搬送部５２には硬貨識別部５２ａが設けられている。
【００７３】
入金硬貨搬送部５２は、硬貨投入口５１に投入された硬貨を１層１列状態で１枚ずつ筐体内に取り込む。具体的には、入金硬貨搬送部５２には繰出ベルト等からなる硬貨繰出機構が設けられており、硬貨投入口５１に対する硬貨の投入を検知すると、硬貨繰出機構が駆動されることにより硬貨が１枚ずつ繰り出される。
【００７４】
硬貨識別部５２ａは、入金硬貨搬送部５２に繰り出された硬貨の金種、真偽、正損、表裏、搬送状態等の識別を行う。入金硬貨搬送部５２は、硬貨識別部５２ａの識別結果に基づいて、硬貨の搬送先を決定する。このとき、真正と識別できない、汚損があるなど、硬貨収納部５３での収納に適さない硬貨は、リジェクト硬貨として硬貨払出口５５が搬送先となる。硬貨収納部５３での収納に適する硬貨であれば、金種の識別結果に対応する硬貨収納部５３が搬送先となる。
【００７５】
複数の硬貨収納部５３は、それぞれ対応する金種が設定されており、設定された金種の紙幣を収納するとともに、収納されている硬貨を１枚ずつ出金硬貨搬送部５４に繰り出することができる。出金硬貨搬送部５４は、硬貨収納部５３から繰り出された硬貨を搬送して硬貨払出口５５に投出する。
【００７６】
＜貨幣処理装置の構成＞
次に、貨幣処理装置１００の構成について図８〜図１２を用いて説明する。図８等に示すように、本実施例に係る貨幣処理装置１００は、略直方体形状の筐体１０１を備えており、この筐体１０１の内部には、紙幣の入金処理及び出金処理を行う紙幣処理ユニット１１０、硬貨の入金処理及び出金処理を行う硬貨処理ユニット１５０、及び包装硬貨（同一金種の硬貨を一定枚数（例えば、２０枚や５０枚）だけ棒状にまとめてフィルムや包装紙等により包装したもの）を収納する包装硬貨収納ユニット１８０がそれぞれ収容されている。図８に示すように、紙幣処理ユニット１１０及び硬貨処理ユニット１５０は、貨幣処理装置１００を手前側から見て左右に並ぶよう配置されており、これらの紙幣処理ユニット１１０及び硬貨処理ユニット１５０の下方に包装硬貨収納ユニット１８０が配置されている。
【００７７】
図８及び図９に示すように、紙幣処理ユニット１１０は、筐体１０１の前面側の右側領域に設けられた紙幣受入部１２０と、筐体１０１の前面側において紙幣受入部１２０の下方に設けられた紙幣払出部１２２と、筐体１０１の内部で紙幣を１枚ずつ搬送する搬送部１３０と、筐体１０１の内部で紙幣を収納するとともに収納されている紙幣を繰出可能な複数の紙幣収納部１３４、１３６とを備えている。なお、図９において、筐体１０１の右側の側面が紙幣処理ユニット１１０の手前側の面であり、図９における左向きの方向が紙幣処理ユニット１１０の奥行き方向である。
【００７８】
図９に示すように、搬送部１３０は、筐体１０１の上部における中央位置に配置された周回搬送部１３０ａ及び複数の接続搬送部１３０ｂから構成されている。また、紙幣受入部１２０、紙幣払出部１２２、リジェクト部１２４、紙幣カセット６０を着脱自在に装着可能なカセット装着部１２６、回収カセット１４０及び２つの紙幣収納部１３４、１３６が、それぞれ、周回搬送部１３０ａを取り囲むよう配置されている。
【００７９】
また、図９に示すように、複数の接続搬送部１３０ｂの各々により、紙幣受入部１２０、紙幣払出部１２２、リジェクト部１２４、カセット装着部１２６、回収カセット１４０及び２つの紙幣収納部１３４、１３６の各々と、周回搬送部１３０ａとの間がそれぞれ接続されている。また、周回搬送部１３０ａには識別部１３２が設けられており、この識別部１３２は、周回搬送部１３０ａにより搬送される紙幣の金種、真偽、正損、表裏、搬送状態等の識別を行う。
【００８０】
周回搬送部１３０ａは、図９における時計回りの方向及び反時計回りの方向の両方向に紙幣を１枚ずつ搬送することができる。また、搬送部１３０において、周回搬送部１３０ａと各接続搬送部１３０ｂとの間で紙幣の搬送経路を切り換える経路切換部（図示せず）が、周回搬送部１３０ａに沿って配置されている。
【００８１】
図８及び図９に示すように、筐体１０１の前面には、紙幣受入部１２０の紙幣受入口１２０ａと、紙幣払出部１２２の紙幣取出口１２２ａとがそれぞれ設けられている。また、カセット装着部１２６の前面側には扉１２６ａが設けられており、この扉１２６ａを開くことにより紙幣カセット６０をカセット装着部１２６に装着させたり、このカセット装着部１２６から紙幣カセット６０を取り出したりすることができる。
【００８２】
また、図１１に示すように、カセット装着部１２６には、当該カセット装着部１２６に装着された紙幣カセット６０に付設されたＩＣタグ６３に様々なデータを書き込み、またＩＣタグ６３から様々なデータを読み取るリーダライタ１２８が設けられている。
【００８３】
紙幣受入部１２０には紙幣繰出機構１２１が設けられており、紙幣受入口１２０ａに１枚あるいは複数枚の紙幣が投入されたことが検知されると、紙幣繰出機構１２１が駆動されることにより、紙幣が接続搬送部１３０ｂを介して周回搬送部１３０ａ側へ１枚ずつ繰り出される。
【００８４】
紙幣払出部１２２は、各紙幣収納部１３４、１３６から周回搬送部１３０ａに繰り出された紙幣を紙幣取出口１２２ａにより筐体１０１の外部へ放出する。
【００８５】
リジェクト部１２４は、出金処理時において各紙幣収納部１３４、１３６から繰り出された紙幣のうち、重送や斜行等の搬送異常により識別部１３２で識別することができない紙幣を出金リジェクト紙幣として収納する。また、紙幣受入部１２０から筐体１０１の内部に取り込まれた紙幣のうち、入金処理時において汚損等により識別部１３２で識別することができない紙幣は入金リジェクト紙幣として紙幣払出部１２２に返却される。
【００８６】
各紙幣収納部１３４、１３６は、識別部１３２の識別結果に基づいて紙幣を金種別に収納する。これらの紙幣収納部１３４、１３６には、釣銭機３０への釣銭準備金の紙幣として貨幣処理装置１００から出金されるべき紙幣が収納される。例えば、紙幣収納部１３４には千円札が収納され、紙幣収納部１３６には五千円札が収納される。なお、一万円札は後述する回収カセット１４０に収納される。また、各紙幣収納部１３４、１３６には、それぞれ紙幣繰出機構１３５、１３７が設けられており、これらの紙幣収納部１３４、１３６に収納されている紙幣は、各紙幣繰出機構１３５、１３７により接続搬送部１３０ｂを介して周回搬送部１３０ａ側へ１枚ずつ繰り出される。
【００８７】
筐体１０１の内部における下部領域には回収カセット１４０が収容されており、警送会社により回収されるべき紙幣が回収カセット１４０に収納される。具体的には、識別部１３２により識別された紙幣が周回搬送部１３０ａから接続搬送部１３０ｂを経て回収カセット１４０に送られる。また、回収カセット１４０の前面側には扉１４０ａが設けられており、この扉１４０ａを開くことにより回収カセット１４０を筐体１０１の内部に収容させたり筐体１０１の内部から回収カセット１４０を取り出したりすることができる。
【００８８】
次に、硬貨処理ユニット１５０の構成について説明する。図８及び図１０に示すように、硬貨処理ユニット１５０は、筐体１０１の前面側の左側領域に設けられた硬貨受入部１５２と、筐体１０１の前面側において硬貨受入部１５２の下方に設けられた硬貨払出部１６６と、筐体１０１の内部で硬貨を収納するとともに収納されている硬貨を繰出可能な複数の収納繰出部１６０とを備えている。
【００８９】
硬貨受入部１５２は、硬貨投入口を介して受け入れた硬貨を１層１列状態で１枚ずつ筐体１０１内に取り込む。具体的には、硬貨受入部１５２には繰出ベルト等からなる硬貨繰出機構１５３（図１１参照）が設けられており、硬貨受入部１５２に受け入れられた硬貨を検知するとこの硬貨繰出機構１５３が駆動されることにより、当該硬貨繰出機構１５３によって硬貨が筐体１０１の内部に１枚ずつ繰り出される。また、図１０に示すように、硬貨受入部１５２には、当該硬貨受入部１５２により筐体１０１の内部に繰り出された硬貨を搬送する入金搬送部１５４が接続されている。
【００９０】
図１０に示すように、入金搬送部１５４の途中には、硬貨の金種、真偽、正損、表裏、搬送状態等の識別を行う識別部１５６と、第１分岐部１５８とがそれぞれ設けられている。第１分岐部１５８は、識別部１５６による硬貨の識別結果に基づいて、硬貨払出部１６６から払い出されるべき硬貨（リジェクト硬貨等）を入金搬送部１５４から分岐させて出金搬送部１６２へ案内する。
【００９１】
一方、筐体１０１内に収納されるべき硬貨（正常硬貨等）は、入金搬送部１５４により各収納繰出部１６０へ搬送される。収納繰出部１６０は、硬貨を金種別に収納するとともに収納されている硬貨を繰出可能となるよう構成されている。例えば、日本国で流通している硬貨の６つの金種（５００円硬貨、１００円硬貨、５０円硬貨、１０円硬貨、５円硬貨及び１円硬貨）に対応して６つの収納繰出部１６０が設けられており、入金搬送部１５４の上流側（すなわち、図１０における下側）から低額順に各収納繰出部１６０に硬貨が金種毎に収納される。また、収納繰出部１６０には、当該収納繰出部１６０に収納された硬貨を１枚ずつ出金搬送部１６２に繰り出す硬貨繰出機構１５３（図１１参照）が設けられている。
【００９２】
出金搬送部１６２は、収納繰出部１６０から繰り出された硬貨を硬貨払出部１６６へ搬送する。また、出金搬送部１６２は、第１分岐部１５８により入金搬送部１５４から分岐させられたリジェクト硬貨等を硬貨払出部１６６へ搬送する。
【００９３】
筐体１０１の内部における下部領域には回収カセット１７０が収容されており、警送会社により回収されるべき硬貨が回収カセット１７０に収納される。具体的には、図１０に示すように、出金搬送部１６２の途中箇所には第２分岐部１６４が設けられており、当該第２分岐部１６４により出金搬送部１６２から分岐させられた硬貨が回収カセット１７０に送られて、この回収カセット１７０に収納される。また、回収カセット１７０の前面側には扉１７０ａが設けられており、この扉１７０ａを開くことにより回収カセット１７０を筐体１０１の内部に収容させたり筐体１０１の内部から回収カセット１７０を取り出したりすることができる。
【００９４】
＜貨幣処理装置の制御系の構成＞
次に、貨幣処理装置１００の制御系の構成について説明する。図１１は、貨幣処理装置１００における制御系の構成を示すブロック図である。図１１に示すように、貨幣処理装置１００の筐体１０１の内部には制御部１０２が設けられており、当該制御部１０２により紙幣処理ユニット１１０、硬貨処理ユニット１５０及び包装硬貨収納ユニット１８０の各々の構成部位が制御される。
【００９５】
具体的には、制御部１０２には、紙幣処理ユニット１１０の紙幣繰出機構１２１、搬送部１３０、識別部１３２、紙幣繰出機構１３５、１３７、カセット装着部１２６、リーダライタ１２８等が接続されており、識別部１３２による紙幣の識別情報や、紙幣カセット６０に設けられたＩＣタグ６３からリーダライタ１２８により読み取られたデータが制御部１０２に送られるとともに、制御部１０２は紙幣処理ユニット１１０の各構成部位に指令信号を送ることにより、これらの構成部位の制御を行う。
【００９６】
また、制御部１０２には、硬貨処理ユニット１５０の硬貨繰出機構１５３、入金搬送部１５４、識別部１５６、第１分岐部１５８、各収納繰出部１６０、出金搬送部１６２及び第２分岐部１６４等が接続されており、識別部１５６による硬貨の識別情報が制御部１０２に送られるとともに、制御部１０２は硬貨処理ユニット１５０の各構成部位に指令信号を送ることにより、これらの構成部位の制御を行う。
【００９７】
また、制御部１０２には、包装硬貨収納ユニット１８０のロック機構１８４及び重量計１８６等が接続されており、重量計１８６による包装硬貨の測定結果が制御部１０２に送られるとともに、制御部１０２はロック機構１８４に指令信号を送ることにより当該ロック機構１８４の制御を行う。
【００９８】
ロック機構１８４は、包装硬貨収納ユニット１８０の引出部を筐体１０１の内部にロックする機構であり、引出部が筐体１０１の内部にロックされている状態では当該引出部を筐体１０１の内部から手前側に引き出すことができず、包装硬貨の収納や取出しが制限される。重量計１８６は、包装硬貨収納ユニット１８０に収納されている包装硬貨の重量を測定する。このような重量計１８６により測定される包装硬貨の重量に基づいて、制御部１０２において包装硬貨収納ユニット１８０に収納されている包装硬貨の数が検知される。
【００９９】
また、図１１に示すように、制御部１０２には、操作表示部１０４、通信部１０５及び記憶部１０６がそれぞれ接続されている。操作表示部１０４は、筐体１０１の上部に設けられたタッチパネル等からなり、操作者が操作するための操作画面や、紙幣処理ユニット１１０、硬貨処理ユニット１５０及び包装硬貨収納ユニット１８０の各々に収納されている貨幣の在高に係る情報が操作表示部１０４に表示される。また、このような操作表示部１０４において操作者は操作画面における操作ボタンに指を触れることによって制御部１０２に様々な指令を入力することができる。通信部１０５は、店舗の内外に設けられた各種装置と信号の送受信を行うことができる。
【０１００】
記憶部１０６は、不揮発性のメモリ等からなる記憶デバイスであり、在高データ１０６ａ、自店売上データ１０６ｂ及び他店売上データ１０６ｃを記憶する。在高データ１０６ａは、紙幣処理ユニット１１０、硬貨処理ユニット１５０、包装硬貨収納ユニット１８０、回収カセット１４０及び回収カセット１７０の各々に収納されている貨幣の在高を示す。自店売上データ１０６ｂは、自店舗の釣銭機３０から回収された売上金に基づいて自店舗の売上を管理するデータであり、自店舗の店舗ＩＤと、売上に関するデータとを含む。他店売上データ１０６ｃは、他店舗の釣銭機３０から回収された売上金に基づいて、他店舗の売上を管理するデータであり、他店舗の店舗ＩＤと、売上に関するデータと、手数料を示すデータとを含む。貨幣処理装置１００が複数の他店舗の売上を管理する場合には、それぞれの他店舗について他店売上データ１０６ｃを設ける。
【０１０１】
さらに、制御部１０２は、店舗判定部１０２ａ、手数料処理部１０２ｂ及び売上管理部１０２ｃを有する。
【０１０２】
店舗判定部１０２ａは、紙幣カセット６０が装着された場合に、ＩＣタグ６３に記憶された店舗ＩＤに基づいて、紙幣カセット６０に収納された貨幣に対応する店舗を判定する処理を行う。具体的には、ＩＣタグ６３に記憶された店舗ＩＤが自店売上データ１０６ｂの店舗ＩＤと一致すれば、判定結果は自店舗となり、ＩＣタグ６３に記憶された店舗ＩＤが他店売上データ１０６ｃの店舗ＩＤと一致すれば、判定結果は他店舗となる。ＩＣタグ６３に記憶された店舗ＩＤが自店売上データ１０６ｂの店舗ＩＤとも他店売上データの店舗ＩＤとも一致しなければ、判定結果は登録外となる。
【０１０３】
手数料処理部１０２ｂは、手数料の算定と管理を行う処理部である。具体的には、手数料処理部１０２ｂは、紙幣カセット６０が装着され、店舗判定部１０２ａにより他店舗と判定された場合に、ＩＣタグ６３に記憶された手数料の設定に基づいて手数料を算定する。手数料処理部１０２ｂは、算定した手数料を対応する他店売上データ１０６ｃの手数料に累積加算する。
【０１０４】
売上管理部１０２ｃは、各店舗の売上を管理する処理部である。まず、売上管理部１０２ｃは、自店舗の店舗ＩＤを含む自店売上データ１０６ｂを生成し、記憶部１０６に登録する。また、他店の売上を管理する場合には、他店舗の店舗ＩＤを含む他店売上データ１０６ｃを店舗ごとに生成し、記憶部１０６に登録する。
【０１０５】
売上管理部１０２ｃは、紙幣カセット６０が装着されたならば、まず、店舗判定部１０２ａの判定結果を取得する。判定結果が登録外であるならば、紙幣処理ユニット１１０に紙幣を繰り出させることなく、紙幣カセット６０を排出制御する。
【０１０６】
店舗判定部１０２ａによる判定結果が自店舗又は他店舗であるならば、売上管理部１０２ｃは、紙幣処理ユニット１１０に紙幣の収納を指示する。そして、紙幣処理ユニット１１０が紙幣カセット６０から紙幣を繰り出して収納したならば、売上管理部１０２ｃは、収納された紙幣の金額を売上金に累積加算する。ここで、売上管理部１０２ｃは、ＩＣタグ６３に記憶された店舗ＩＤに応じて自店売上データ１０６ｂ又は他店売上データ１０６ｃのいずれかを選択し、選択したデータの売上金を更新することになる。なお、このように売上金は店舗毎に管理するが、貨幣処理装置１００に収納された貨幣の数量は在高データ１０６ａとして一括管理する。
【０１０７】
図１２は、貨幣処理装置１００が記憶するデータの具体例についての説明図である。図１２に示すように、在高データ１０６ａは、貨幣処理装置１００に収納された貨幣の金種別の数量を管理している。図１２では、一万円札の数量が「４７」、五千円札の数量が「３」である状態を示している。
【０１０８】
また、図１２に示すように、自店売上データ１０６ｂは、店舗ＩＤ、種別、手数料、当日売上などを含む。図１２では、店舗ＩＤ「Ｕ００１」、種別「自店舗」、手数料「不要」、当日売上「２１３０００円」である状態を示している。
【０１０９】
同様に、他店売上データ１０６ｃは、店舗ＩＤ、種別、手数料、当日売上などを含む。図１２では、店舗ＩＤ「Ｕ００２」、種別「他店舗」、手数料「８５４０円」、当日売上「４２７０００円」である状態を示している。
【０１１０】
なお、図１２では、自店売上データ１０６ｂにも他店売上データ１０６ｃと同様に種別の項目と手数料の項目を設けているが、これらの項目は必ずしも必須ではない。自店の売上と他店の売上とを別のデータとして識別して管理すれば、自店の売上を示すデータの種別は「自店舗」となり、手数料も「不要」となるからである。同様に、自店の売上と他店の売上とを別のデータとして識別して管理する場合には、他店の売り上げを示すデータに種別の項目を設けなくともよい。
【０１１１】
次に、貨幣処理装置１００の処理手順について説明する。図１３は、貨幣処理装置１００の処理手順を示すフローチャートである。まず、紙幣処理ユニット１１０のカセット装着部１２６が紙幣カセット６０を受け付けると（ステップＳ１０１）、リーダライタ１２８が紙幣カセット６０のＩＣタグ６３からデータを読み出す（ステップＳ１０２）。
【０１１２】
ＩＣタグ６３から読み出された店舗ＩＤが自店舗の店舗ＩＤであると店舗判定部１０２ａにより判定されたならば（ステップＳ１０３；Ｙｅｓ）、紙幣処理ユニット１１０が紙幣カセット６０から紙幣を繰り出して収納し（ステップＳ１０４）、売上管理部１０２ｃが自店売上データ１０６ｂの売上を更新する（ステップＳ１０５）。
【０１１３】
ＩＣタグ６３から読み出された店舗ＩＤが自店舗の店舗ＩＤではなく（ステップＳ１０３；Ｎｏ）、他店舗の店舗ＩＤであるならば（ステップＳ１０７；Ｙｅｓ）、紙幣処理ユニット１１０が紙幣カセット６０から紙幣を繰り出して収納し（ステップＳ１０８）、手数料処理部１０２ｂが手数料を算定する（ステップＳ１０９）。そして、売上管理部１０２ｃが他店売上データ１０６ｃの売上を更新し（ステップＳ１１０）、手数料処理部１０２ｂが他店売上データ１０６ｃの手数料を更新する（ステップＳ１１１）。
【０１１４】
ＩＣタグ６３から読み出された店舗ＩＤが自店舗の店舗ＩＤではなく（ステップＳ１０３；Ｎｏ）、他店舗の店舗ＩＤでもないならば（ステップＳ１０７；Ｎｏ）、売上管理部１０２ｃは、装着された紙幣カセット６０に対応する登録が確認できない旨の報知、すなわち登録外の報知を行う（ステップＳ１１２）。
【０１１５】
ステップＳ１０５、ステップＳ１１１又はステップＳ１１２の後、紙幣処理ユニット１１０は、紙幣カセット６０を排出し（ステップＳ１０６）、処理を終了する。
【０１１６】
上述してきたように、本実施例によれば、所定の店舗に設置され、少なくとも該所定の店舗の売上金となる貨幣の入金を行う貨幣処理装置が、所定の店舗と異なる他の店舗の売上金となる貨幣を受け付け、受け付けた貨幣に対応する店舗を判定し、受け付けた貨幣を収納し、店舗ごとに売上金に係る情報を記憶するよう構成したので、売上金の管理装置が導入されていない店舗の売上金を効率良く管理することができる。
【０１１７】
また、貨幣処理装置は、所定の店舗と異なる他の店舗の売上金となる貨幣と、所定の店舗に設置された所定の店内機器に収納された貨幣とを同一の方法で受け付けることができる。
【０１１８】
また、貨幣処理装置は、少なくとも他の店舗の売上金の金額情報と該他の店舗が所定の店舗に支払う利用手数料に係る情報とを記憶することができる。
【０１１９】
また、貨幣処理装置は、他の店舗の貨幣を収納する場合に、収納される貨幣額と所定の手数料率とから利用手数料を算定し、算定された利用手数料を記憶部に記憶された利用手数料に係る情報に累積加算することができる。
【０１２０】
また、貨幣処理装置は、他の店舗の貨幣を収納する場合に、所定の基本手数料額を記憶部に記憶された利用手数料に係る情報に累積加算することができる。
【０１２１】
また、貨幣処理装置は、販売時点管理機能を有する金銭登録機と通信可能に接続された釣銭機から回収された貨幣を収納することができる。
【０１２２】
また、貨幣処理装置は、釣銭機から取り外され、かつ、釣銭機内の貨幣が収納された収納カセットとして機能する紙幣カセットが所定の装着部に装着された場合に、該収納カセットから貨幣を繰り出して受け付けることができる。
【０１２３】
また、収納カセットには、手数料に係る情報を記憶する不揮発性のカセット用記憶部を設けてもよい。カセット用記憶部は、各店舗を一意に識別する店舗識別情報を記憶し、貨幣処理装置は、カセット用記憶部に記憶された店舗識別情報に基づいて、受け付けた貨幣に対応する店舗を判定することができる。
【０１２４】
なお、上記の実施例では、カセット用記憶部、すなわち紙幣カセット６０のＩＣタグ６３を、店舗ＩＤの読取に使用する場合を例に説明を行ったが、ＩＣタグ６３は任意の用途に使用可能である。例えば、ＩＣタグ６３から読み出した収納金額と紙幣カセット６０から繰り出した紙幣の金種及び数量とを比較して、回収が適正に行われたか否かを判定してもよい。
【０１２５】
また、貨幣処理装置１００が対応する店舗の売上に関するデータをＩＣタグ６３に書き込み、紙幣カセット６０を元の店舗に戻して釣銭機３０に装着すれば、貨幣処理装置１００が管理する店舗の売上を釣銭機３０やＰＯＳレジ２０で表示させることができる。
【０１２６】
また、上記の実施例では、貨幣処理装置１００が紙幣カセット６０から売上金としての紙幣を受け付け、紙幣カセット６０に付設したＩＣタグ６３から店舗ＩＤを読み取る構成を例示したが、紙幣カセット６０の使用は必須ではない。貨幣処理装置１００が売上金としての現金を直接受け付けてもよい。この場合には、例えばカード等の記憶媒体から店舗ＩＤを読み取るよう構成することができる。また、ＩＣタグを有さない紙幣カセットから売上金として紙幣を受け付け、カードから店舗ＩＤを読み取る構成であってもよい。
【０１２７】
また、貨幣処理装置１００に対応する自店舗の釣銭機３０が存在しない構成であってもよい。この場合には、貨幣処理装置１００は、全ての店舗に対して手数料の管理を行うことになる。また、貨幣処理装置１００の設置場所は、店舗に限定されるものではない。
【０１２８】
また、上記の実施例では説明を省略したが、手数料は任意のタイミングで精算することができる。例えば、毎月２５日に累積した手数料を精算することとしてもよいし、紙幣カセット６０を装着して売上金を回収する度に手数料を精算することとしてもよい。
【０１２９】
また、上記の実施例で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１３０】
本発明の貨幣処理装置、貨幣処理システム及び貨幣処理方法は、売上金の管理装置が導入されていない店舗の売上金を効率良く管理することに有用である。
【符号の説明】
【０１３１】
２０、２０ａ、２０ｂ  ＰＯＳレジ
２１、５６  表示操作部
２１ａ、２１ｂ  表示部
２１ｃ  操作部
２２  バーコードリーダ
２３  カードリーダ
２４  印字部
２５、４９ａ、５９ａ、１０５  通信部
２６  ＰＯＳ制御部
２６ａ  購入商品登録部
２６ｂ  購入金額算定部
２６ｃ  決済処理部
３０、３０ａ、３０ｂ  釣銭機
４０、１１０  紙幣処理ユニット
４１、１２０  紙幣受入部
４１ａ  紙幣挿入口
４２、１２２  紙幣払出部
４２ａ  紙幣払出口
４３  出金リジェクト部
４４、１２６  カセット装着部
４５、１３０ａ  周回搬送部
４６  紙幣識別部
４７、１３４、１３６  紙幣収納部
４８  紙幣記憶部
４８ａ  紙幣在高データ
４９  紙幣釣銭制御部
４９ｂ、５９ｂ  入金処理部
４９ｃ、５９ｃ  出金処理部
５０、１５０  硬貨処理ユニット
５１  硬貨投入口
５２  入金硬貨搬送部
５２ａ  硬貨識別部
５３  硬貨収納部
５４  出金硬貨搬送部
５５  硬貨払出口
５８  硬貨記憶部
５８ａ  硬貨在高データ
５９  硬貨釣銭制御部
６０、６０ａ、６０ｂ  紙幣カセット
６１  ケーシング
６２    開口
６３    ＩＣタグ
１００  貨幣処理装置
１０１  筐体
１０２  制御部
１０２ａ  店舗判定部
１０２ｂ  手数料処理部
１０２ｃ  売上管理部
１０６  記憶部
１０６ａ  在高データ
１０６ｂ  自店売上データ
１０６ｃ  他店売上データ
１２０ａ  紙幣受入口
１２１、１３５、１３７  紙幣繰出機構
１２２ａ  紙幣取出口
１２４  リジェクト部
１２６ａ、１４０ａ、１７０ａ  扉
１２８  リーダライタ
１３０  搬送部
１３０ｂ  接続搬送部
１３２、１５６  識別部
１４０、１７０  回収カセット
１５２  硬貨受入部
１５３  硬貨繰出機構
１５４  入金搬送部
１５８  第１分岐部
１６０  収納繰出部
１６２  出金搬送部
１６４  第２分岐部
１６６  硬貨払出部
１８０  包装硬貨収納ユニット
【図１】
2019174986.tif 000003
【図２】
2019174986.tif 000004
【図３】
2019174986.tif 000005
【図４】
2019174986.tif 000006
【図５】
2019174986.tif 000007
【図６】
2019174986.tif 000008
【図７】
2019174986.tif 000009
【図８】
2019174986.tif 000010
【図９】
2019174986.tif 000011
【図１０】
2019174986.tif 000012
【図１１】
2019174986.tif 000013
【図１２】
2019174986.tif 000014
【図１３】
2019174986.tif 000015